【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
ビデオの現在のブロックに関する動きベクトル予測因子及び動きベクトル差にアクセスすることであって、前記動きベクトル予測因子は第１の動き分解能に関連する、アクセスすること、及び
前記動きベクトル差に基づいて前記動きベクトル予測因子を精緻化精緻化するかどうかを判定することを含む、ビデオを復号するための方法であって、
前記動きベクトル予測因子を精緻化することが、
動き探索に基づいて精緻化された動きベクトル予測因子を形成することであって、前記精緻化された動きベクトル予測因子は第２の動き分解能に関連し、前記第２の動き分解能は前記第１の動き分解能よりも高い、形成すること、及び
前記精緻化された動きベクトル予測因子及び前記動きベクトル差に基づいて前記現在のブロックに関する動きベクトルを形成することであって、前記現在のブロックは前記形成される動きベクトルに基づいて復号される、形成すること
を含む、方法。
【請求項２】
前記動きベクトル差の大きさが第１の閾値を下回る場合は前記動きベクトル予測因子を精緻化すると判定する、請求項１に記載の方法。
【請求項３】
前記動きベクトル差の大きさが第２の閾値を上回る場合は前記動きベクトル予測因子を精緻化しないと判定し、前記動きベクトル予測因子及び前記動きベクトル差に基づいて前記現在のブロックを復号することを更に含む、請求項１に記載の方法。
【請求項４】
前記動きベクトル差の大きさが第１の閾値を上回る場合、ビットストリームからフラグを復号することを更に含み、前記動きベクトル予測因子を精緻化するかどうかは前記復号されるフラグに基づく、請求項１に記載の方法。
【請求項５】
隣接する復号済みブロックの少なくとも１つの動きベクトルにアクセスすることであって、前記現在のブロックに関する前記動きベクトル予測因子と前記少なくとも１つの動きベクトルとの差が第３の閾値を下回る場合は前記動きベクトル予測因子を精緻化すると判定する、アクセスすること
を更に含む、請求項１に記載の方法。
【請求項６】
隣接する復号済みブロックの複数のピクセルにアクセスすることであって、前記複数のピクセルのテクスチャレベルが第４の閾値を上回る場合は前記動きベクトル予測因子を精緻化すると判定する、アクセスすること
を更に含む、請求項１に記載の方法。
【請求項７】
ビデオを符号化するための方法であって、
動きベクトル予測因子にアクセスすることであって、前記動きベクトル予測因子は第１の動き分解能に関連する、アクセスすること、
前記動きベクトル予測因子に対応する動きベクトル差を決定すること、
前記動きベクトル予測因子を精緻化するかどうかを判定することであって、前記精緻化は第２の動き分解能に関連し、前記第２の動き分解能は前記第１の動き分解能よりも高い、判定すること、
前記決定した動きベクトル差に基づき、前記動きベクトル予測因子の前記精緻化を明確にシグナリングするかどうかを判定すること、及び
前記動きベクトル差を符号化すること
を含む、方法。
【請求項８】
前記動きベクトル差の大きさが第１の閾値を下回る場合は前記動きベクトル予測因子の前記精緻化を明確にシグナリングしない、請求項７に記載の方法。
【請求項９】
前記動きベクトル差の大きさが第２の閾値を上回る場合、前記動きベクトル予測因子の前記精緻化を明確なシグナリングなしに非活性化する、請求項７に記載の方法。
【請求項１０】
前記動きベクトル差の大きさが第１の閾値を上回る場合、前記動きベクトル予測因子を精緻化するかどうかを明確にシグナリングするためにビットストリーム内にフラグを符号化することを更に含む、請求項７に記載の方法。
【請求項１１】
隣接する再構築済みブロックの少なくとも１つの動きベクトルにアクセスすることであって、前記現在のブロックに関する前記動きベクトル予測因子と前記少なくとも１つの動きベクトルとの差が第３の閾値を下回る場合は前記動きベクトル予測因子を精緻化すると判定する、アクセスすること
を更に含む、請求項７に記載の方法。
【請求項１２】
隣接する再構築済みブロックの複数のピクセルにアクセスすることであって、前記複数のピクセルのテクスチャレベルが第４の閾値を上回る場合は前記動きベクトル予測因子を精緻化すると判定する、アクセスすること
を更に含む、請求項７に記載の方法。
【請求項１３】
ビデオの現在のブロックに関する動きベクトル予測因子及び動きベクトル差にアクセスすることであって、前記動きベクトル予測因子は第１の動き分解能に関連する、アクセスすること、及び
前記動きベクトル差に基づいて前記動きベクトル予測因子を精緻化するかどうかを決定すること
を行うように構成される１個又は複数個のプロセッサを含む機器であって、前記１個又は複数個のプロセッサは、
動き探索に基づいて精緻化された動きベクトル予測因子を形成することであって、前記精緻化された動きベクトル予測因子は第２の動き分解能に関連し、前記第２の動き分解能は前記第１の動き分解能よりも高い、形成すること、及び
前記精緻化された動きベクトル予測因子及び前記動きベクトル差に基づいて前記現在のブロックに関する動きベクトルを形成することであって、前記現在のブロックは前記形成される動きベクトルに基づいて復号される、形成すること
を行うことによって前記動きベクトル予測因子を精緻化するように構成された、
機器。
【請求項１４】
前記動きベクトル差の大きさが第１の閾値を下回る場合は前記動きベクトル予測因子を精緻化させると判定する、請求項１３に記載の機器。
【請求項１５】
前記動きベクトル差の大きさが第２の閾値を上回る場合は前記動きベクトル予測因子を精緻化させないと判定し、前記動きベクトル予測因子及び前記動きベクトル差に基づいて前記現在のブロックを復号することを更に含む、請求項１３に記載の機器。
【請求項１６】
前記動きベクトル差の大きさが第１の閾値を上回る場合、ビットストリームからフラグを復号するように前記１個又は複数個のプロセッサが更に構成され、前記動きベクトル予測因子を精緻化させるかどうかは前記復号されるフラグに基づく、請求項１３に記載の機器。
【請求項１７】
動きベクトル予測因子にアクセスすることであって、前記動きベクトル予測因子は第１の動き分解能に関連する、アクセスすること、
前記動きベクトル予測因子に対応する動きベクトル差を決定すること、
前記動きベクトル予測因子を精緻化させるかどうかを判定することであって、前記精緻化は第２の動き分解能に関連し、前記第２の動き分解能は前記第１の動き分解能よりも高い、判定すること、
前記決定した動きベクトル差に基づき、前記動きベクトル予測因子の前記精緻化を明確にシグナリングするかどうかを判定すること、及び
前記動きベクトル差を符号化すること
を行うように構成された１個又は複数個のプロセッサを含む、機器。
【請求項１８】
前記動きベクトル差の大きさが第１の閾値を下回る場合は前記動きベクトル予測因子の前記精緻化を明確にシグナリングしない、請求項１７に記載の機器。
【請求項１９】
前記動きベクトル差の大きさが第２の閾値を上回る場合、前記動きベクトル予測因子の前記精緻化を明確なシグナリングなしに非活性化する、請求項１７に記載の機器。
【請求項２０】
前記動きベクトル差の大きさが第１の閾値を上回る場合、前記動きベクトル予測因子を精緻化させるかどうかを明確にシグナリングするためにビットストリーム内にフラグを符号化するように前記１個又は複数個のプロセッサが更に構成された、請求項１７に記載の機器。
【手続補正２】
【補正対象書類名】明細書
【補正対象項目名】０１３６
【補正方法】変更
【補正の内容】
【０１３６】
当業者に明らかなように、実装形態は例えば記憶され又は伝送され得る情報を運ぶようにフォーマットされる多岐にわたる信号を作り出し得る。かかる情報は、例えば方法を実行するための命令または、記載した実装形態の１つによって作り出されるデータを含み得る。例えば信号は、記載した実施形態のビットストリームを運ぶようにフォーマットされ得る。かかる信号は、例えば電磁波として（例えばスペクトルの無線周波数部分を用いて）、又はベースバンド信号としてフォーマットされ得る。フォーマットすることは、例えばデータストリームを符号化し、符号化データストリームで搬送波を変調することを含み得る。信号が運ぶ情報は、例えばアナログ情報又はデジタル情報とすることができる。信号は、知られているように様々な異なる有線リンク又は無線リンク上で伝送され得る。信号はプロセッサ可読媒体上に記憶され得る。
（付記１）
ビデオの現在のブロックに関する動きベクトル予測因子及び動きベクトル差にアクセスすること（１１１０）であって、前記動きベクトル予測因子は第１の動き分解能に関連する、アクセスすること、及び
前記動きベクトル差に基づいて前記動きベクトル予測因子を精緻化するかどうかを判定すること（１１２５、１１３０）を含む、ビデオを復号するための方法（１１００）であって、
前記動きベクトル予測因子を精緻化すること（１１７０）が、
動き探索に基づいて精緻化された動きベクトル予測因子を形成することであって、前記精緻化された動きベクトル予測因子は第２の動き分解能に関連し、前記第２の動き分解能は前記第１の動き分解能よりも高い、形成すること、及び
前記精緻化された動きベクトル予測因子及び前記動きベクトル差に基づいて前記現在のブロックに関する動きベクトルを形成すること（１１７０）であって、前記現在のブロックは前記形成される動きベクトルに基づいて復号される、形成すること（１１７０）
を含む、方法（１１００）。
（付記２）
少なくとも１つのメモリと１個又は複数個のプロセッサとを含む機器（１４００）であって、前記１個又は複数個のプロセッサが、
ビデオの現在のブロックに関する動きベクトル予測因子及び動きベクトル差にアクセスすることであって、前記動きベクトル予測因子は第１の動き分解能に関連する、アクセスすること、及び
前記動きベクトル差に基づいて前記動きベクトル予測因子を精緻化するかどうかを判定すること
を行うように構成され、
動き探索に基づいて精緻化された動きベクトル予測因子を形成することであって、前記精緻化された動きベクトル予測因子は第２の動き分解能に関連し、前記第２の動き分解能は前記第１の動き分解能よりも高い、形成すること、及び
前記精緻化された動きベクトル予測因子及び前記動きベクトル差に基づいて前記現在のブロックに関する動きベクトルを形成することであって、前記現在のブロックは前記形成される動きベクトルに基づいて復号される、形成すること
を行うことによって前記動きベクトル予測因子を精緻化するように前記１個又は複数個のプロセッサが構成された、
機器（１４００）。
（付記３）
前記動きベクトル差の大きさが第１の閾値を下回る場合は前記動きベクトル予測因子を精緻化すると判定する、付記１に記載の方法又は付記２に記載の機器。
（付記４）
前記動きベクトル差の大きさが第２の閾値を上回る場合は前記動きベクトル予測因子を精緻化しないと判定し、前記動きベクトル予測因子及び前記動きベクトル差に基づいて前記現在のブロックを復号することを更に含む、付記１若しくは３に記載の方法又は付記２若しくは３に記載の機器。
（付記５）
前記動きベクトル差の大きさが第１の閾値を上回る場合、ビットストリームからフラグを復号することを更に含み、前記動きベクトル予測因子を精緻化するかどうかは前記復号されるフラグに基づく、付記１及び３乃至４の何れか一に記載の方法又は付記２乃至４の何れか一に記載の機器。
（付記６）
隣接する復号済みブロックの少なくとも１つの動きベクトルにアクセスすることであって、前記現在のブロックに関する前記動きベクトル予測因子と前記少なくとも１つの動きベクトルとの差が第３の閾値を下回る場合は前記動きベクトル予測因子を精緻化すると判定する、アクセスすること
を更に含む、付記１及び３乃至５の何れか一項に記載の方法又はそれを行うように前記１個又は複数個のプロセッサが更に構成された、付記２乃至５の何れか一に記載の機器。
（付記７）
隣接する復号済みブロックの複数のピクセルにアクセスすることであって、前記複数のピクセルのテクスチャレベルが第４の閾値を上回る場合は前記動きベクトル予測因子を精緻化すると判定する、アクセスすること
を更に含む、付記１及び３乃至６の何れか一に記載の方法又はそれを行うように前記１個又は複数個のプロセッサが更に構成された、付記２乃至６の何れか一に記載の機器。
（付記８）
ビデオを符号化するための方法（１２００）であって、
動きベクトル予測因子にアクセスすること（１２２０）であって、前記動きベクトル予測因子は第１の動き分解能に関連する、アクセスすること（１２２０）、
前記動きベクトル予測因子に対応する動きベクトル差を決定すること（１２２５）、
前記動きベクトル予測因子を精緻化するかどうかを判定すること（１２２５）であって、前記精緻化は第２の動き分解能に関連し、前記第２の動き分解能は前記第１の動き分解能よりも高い、判定すること（１２２５）、
前記決定した動きベクトル差に基づき、前記動きベクトル予測因子の前記精緻化を明確にシグナリングするかどうかを判定すること（１２８０、１２６０、１２６５）、及び
前記動きベクトル差を符号化すること（１２９０）
を含む、方法（１２００）。
（付記９）
少なくとも１つのメモリと１個又は複数個のプロセッサとを含む機器（１４００）であって、前記１個又は複数個のプロセッサが、
動きベクトル予測因子にアクセスすることであって、前記動きベクトル予測因子は第１の動き分解能に関連する、アクセスすること、
前記動きベクトル予測因子に対応する動きベクトル差を決定すること、
前記動きベクトル予測因子を精緻化するかどうかを判定することであって、前記精緻化は第２の動き分解能に関連し、前記第２の動き分解能は前記第１の動き分解能よりも高い、判定すること、
前記決定した動きベクトル差に基づき、前記動きベクトル予測因子の前記精緻化を明確にシグナリングするかどうかを判定すること、及び
前記動きベクトル差を符号化すること
を行うように構成された、機器（１４００）。
（付記１０）
前記動きベクトル差の大きさが第１の閾値を下回る場合は前記動きベクトル予測因子の前記精緻化を明確にシグナリングしない、付記８に記載の方法又は付記９に記載の機器。
（付記１１）
前記動きベクトル差の大きさが第２の閾値を上回る場合、前記動きベクトル予測因子の前記精緻化を明確なシグナリングなしに非活性化する、付記８若しくは１０に記載の方法又は付記９若しくは１０に記載の機器。
（付記１２）
前記動きベクトル差の大きさが第１の閾値を上回る場合、前記動きベクトル予測因子を精緻化するかどうかを明確にシグナリングするためにビットストリーム内にフラグを符号化することを更に含む、付記８及び１０乃至１１の何れか一に記載の方法又は付記９乃至１１の何れか一に記載の機器。
（付記１３）
隣接する再構築済みブロックの少なくとも１つの動きベクトルにアクセスすることであって、前記現在のブロックに関する前記動きベクトル予測因子と前記少なくとも１つの動きベクトルとの差が第３の閾値を下回る場合は前記動きベクトル予測因子を精緻化すると判定する、アクセスすること
を更に含む、付記８及び１０乃至１２の何れか一に記載の方法又はそれを行うように前記１個又は複数個のプロセッサが更に構成された、付記９乃至１２の何れか一に記載の機器。
（付記１４）
隣接する再構築済みブロックの複数のピクセルにアクセスすることであって、前記複数のピクセルのテクスチャレベルが第４の閾値を上回る場合は前記動きベクトル予測因子を精緻化すると判定する、アクセスすること
を更に含む、付記８及び１０乃至１３の何れか一に記載の方法又はそれを行うように前記１個又は複数個のプロセッサが更に構成された、付記９乃至１３の何れか一に記載の機器。
（付記１５）
付記１、３乃至８、及び１０乃至１４の何れか一に記載の方法を実装するための命令を記憶している、非一時的コンピュータ可読記憶媒体。
（付記１６）
付記８及び１０乃至１４の何れか一に記載の方法によって生成される、ビットストリーム。